(57)【要約】【課題】  サンゴを効率的かつ立体的に増殖させ、地球環境（自然生態系）の変化や人為的な環境破壊によりサンゴが減少する問題、更には、海岸が減少する問題に対する有効な解決策を提案する。【解決手段】  少なくともサンゴＳ…を固着する固着面３…を有するサンゴ増殖用ブロック２…（２ｘ…，２ｙ…）を用意し、固着面３…に一又は二以上の生きたサンゴ（サンゴ固体）Ｓ…を接着剤Ｂ…により固着するとともに、サンゴＳ…を固着した複数のサンゴ増殖用ブロック２…（２ｘ…，２ｙ…）を海岸Ｋｓの近傍の海底Ｋｄに積層設置し、サンゴＳ…を増殖させることにより海岸Ｋｓの長さを自然造成により拡大させる。【選択図】  図１
2008017789.tif 000002
【特許請求の範囲】
【請求項１】
少なくともサンゴを固着する固着面を有するサンゴ増殖用ブロックを用意し、前記固着面に一又は二以上の生きたサンゴ（サンゴ固体）を接着剤により固着するとともに、サンゴを固着した複数のサンゴ増殖用ブロックを海底に積層設置することによりサンゴを増殖させることを特徴とするサンゴ増殖方法。
【請求項２】
前記サンゴを接着剤により取付パーツに固着し、この取付パーツを前記固着面に取付けることを特徴とする請求項１記載のサンゴ増殖方法。
【請求項３】
前記接着剤には、岩石を接着するためのボンドモルタルを用いることを特徴とする請求項１又は２記載のサンゴ増殖方法。
【請求項４】
少なくともサンゴを固着する固着面を有するサンゴ増殖用ブロックを用意し、前記固着面に一又は二以上の生きたサンゴ（サンゴ固体）を接着剤により固着するとともに、サンゴを固着した複数のサンゴ増殖用ブロックを海岸の近傍の海底に積層設置し、サンゴを増殖させることにより海岸の長さを自然造成により拡大させることを特徴とする海岸自然造成方法。
【請求項５】
前記サンゴを接着剤により取付パーツに固着し、この取付パーツを前記固着面に取付けることを特徴とする請求項４記載のサンゴ増殖方法。
【請求項６】
前記接着剤には、岩石を接着するためのボンドモルタルを用いることを特徴とする請求項４又は５記載の海岸自然造成方法。
【請求項７】
前記海岸は、周囲全周長が１００〔ｍ〕以下の小島における海岸であることを特徴とする請求項４記載の海岸自然造成方法。
【発明の詳細な説明】
【技術分野】
【０００１】
本発明は、サンゴを増殖させるためのサンゴ増殖方法及びこの方法を用いることにより海岸の長さを自然造成により拡大させる海岸自然造成方法に関する。
【背景技術】
【０００２】
海の小島、特に、海岸線の全周長が１００〔ｍ〕以下の小島は、長い年月の経過と共に、海水（波力）等による浸食や温暖化による海面上昇により、海岸が次第に減少する（短くなる）ことによって島自体が存亡の危機に晒されている。
【０００３】
このため、海水による浸食を阻止すべく海岸近傍の海底に多数のコンクリートブロックを設置することにより押し寄せる波（波力）を緩衝し、波が海岸に打ち寄せることにより海岸が浸食される問題を解消しようとする方法も実施されており、例えば、特開平７−３３１６３６号公報には、隣接ブロックに対する噛み合せ部を有し、地盤の洗掘等による変化になじみ易い構造のコンクリートブロック本体の表面に自然石を植設した自然石ブロックを地盤面に敷設及び被覆することにより、自然の景観を損なうことなく自然の生態系を保持し、流速や波力に対して安定した状態を保持しうる自然石ブロック工法が開示されている。
【特許文献１】特開平７−３３１６３６号
【発明の開示】
【発明が解決しようとする課題】
【０００４】
しかし、上述した従来の自然石ブロック工法は、次のような問題点があった。
【０００５】
第一に、自然石ブロックの機能そのものは、押し寄せる波を緩衝する一般的なコンクリートブロックの域を出ない。したがって、海岸を減少させる他の要因である温暖化による海面上昇等に対する有効な解決策とはならず、島自体の存亡の危機を根本的に解決することができない。
【０００６】
第二に、地球環境（自然生態系）の変化や人為的な環境破壊によりサンゴの減少が問題となっているが、上述した自然石ブロックは、主に景観に力点が置かれたブロックのため、サンゴを保護する観点からは無力であるとともに、海底面を物理的に破壊したり海底面の生態系を破壊することになることから、却ってサンゴの減少（破壊）を進行させることにもなりかねない。
【０００７】
本発明は、このような背景技術に存在する課題を解決したサンゴ増殖方法及び海岸自然造成方法の提供を目的とするものである。
【課題を解決するための手段】
【０００８】
本発明に係るサンゴ増殖方法は、上述した課題を解決するため、少なくともサンゴＳ…を固着する固着面３…を有するサンゴ増殖用ブロック２…（２ｘ…，２ｙ…）を用意し、固着面３…に一又は二以上の生きたサンゴ（サンゴ固体）Ｓ…を接着剤Ｂ…により固着するとともに、サンゴＳ…を固着した複数のサンゴ増殖用ブロック２…（２ｘ…，２ｙ…）を海底Ｋｄに積層設置することによりサンゴＳ…を増殖させるようにしたことを特徴とする。この場合、発明の好適な態様により、接着剤Ｂ…には、岩石を接着するためのボンドモルタルＢｍ…を用いることができる。また、サンゴＳ…を接着剤Ｂ…により取付パーツ１１…に固着し、この取付パーツ１１…を固着面３…に取付けることができる。
【０００９】
一方、本発明に係る海岸自然造成方法は、上述した課題を解決するため、少なくともサンゴＳ…を固着する固着面３…を有するサンゴ増殖用ブロック２…（２ｘ…，２ｙ…）を用意し、固着面３…に一又は二以上の生きたサンゴ（サンゴ固体）Ｓ…を接着剤Ｂ…により直接又は固着パーツ１１…を介して固着するとともに、サンゴＳ…を固着した複数のサンゴ増殖用ブロック２…（２ｘ…，２ｙ…）を海岸Ｋｓの近傍の海底Ｋｄに積層設置し、サンゴＳ…を増殖させることにより海岸Ｋｓの長さを自然造成により拡大させるようにしたことを特徴とする。この場合、発明の好適な態様により、接着剤Ｂ…には、岩石を接着するためのボンドモルタルＢｍを用いることができる。また、サンゴＳ…を接着剤Ｂ…により取付パーツ１１…に固着し、この取付パーツ１１…を固着面３…に取付けることができる。なお、海岸Ｋｓとしては、周囲全周長が１００〔ｍ〕以下の小島Ｌにおける海岸Ｋｓに適用することが望ましい。
【発明の効果】
【００１０】
このような構成を有する本発明に係るサンゴ増殖方法及び海岸自然造成方法によれば、次のような顕著な効果を奏する。
【００１１】
（１）  サンゴ増殖用ブロック２…（２ｘ…，２ｙ…）の固着面３…に生きたサンゴ（サンゴ固体）Ｓ…を接着剤Ｂ…により直接又は固着パーツ１１…を介して固着するとともに、サンゴＳ…を固着したサンゴ増殖用ブロック２…（２ｘ…，２ｙ…）を海底Ｋｄに積層設置するようにしたため、サンゴＳ…を効率的かつ立体的に増殖させることができ、地球環境（自然生態系）の変化や人為的な環境破壊によりサンゴＳ…が減少する問題に対して有効な解決策の一つとして利用できる。
【００１２】
（２）  サンゴ増殖用ブロック２…（２ｘ…，２ｙ…）の固着面３…に生きたサンゴ（サンゴ固体）Ｓ…を接着剤Ｂ…により直接又は固着パーツ１１…を介して固着するとともに、サンゴＳ…を固着したサンゴ増殖用ブロック２…（２ｘ…，２ｙ…）を海岸Ｋｓの近傍の海底Ｋｄに積層設置し、サンゴＳ…を増殖させるようにしたため、海岸Ｋｓが減少する（短くなる）問題に対して有効な解決策の一つとして利用できる。
【００１３】
（３）  好適な態様により、接着剤Ｂ…に、岩石を接着するためのボンドモルタルＢｍを用いれば、サンゴ増殖用ブロック２…（２ｘ…，２ｙ…）の固着面３…に対してサンゴＳ…を確実かつ安定した状態で固着することができる。
【００１４】
（４）  好適な態様により、サンゴＳ…を接着剤Ｂ…により取付パーツ１１…に固着し、この取付パーツ１１…を固着面３…に取付けるようにすれば、サンゴＳ…を固着面３…に固着するに際し、より容易かつ安全に固着することができる。
【００１５】
（５）  好適な態様により、海岸Ｋｓとして、周囲全周長が１００〔ｍ〕以下の小島Ｌにおける海岸Ｋｓに適用すれば、特に、小島Ｌ自体の存亡の危機に対する根本的な解決手段として有効に利用できる。
【発明を実施するための最良の形態】
【００１６】
次に、本発明に係る最良の実施形態を挙げ、図面に基づき詳細に説明する。
【００１７】
まず、本実施形態に係るサンゴ増殖方法及び海岸自然造成方法の実施に際しては、多数のサンゴ増殖用ブロック２…を用いる。
【００１８】
最初に、サンゴ増殖用ブロック２の構成について、図２を参照して説明する。サンゴ増殖用ブロック２は、コンクリートＣを用いることにより全体をコンクリートブロックとして一体に造型する。例示するサンゴ増殖用ブロック２の全体形状は立方体状とし、内部を中空にするとともに、六面、即ち、前側面２ａ，後側面２ｂ，右側面２ｃ，左側面２ｄ，平面２ｅ，底面２ｆには、それぞれ開口部２ｏ…を設ける。そして、四つの側面２ａ，２ｂ，２ｃ，２ｄにおける開口部２ｏ…を除いた有効面を、サンゴ（サンゴ固体、以下同じ）Ｓ…を固着（活着）する固着面３…とする。したがって、各固着面３…を形成する部位は、サンゴ増殖用ブロック２を設置又は積層する際における脚部を兼用している。なお、２ｓ…は、各側面２ａ，２ｂ，２ｃ…の境界部分（稜角）を面取した面取部を示す。このような面取部２ｓ…は、アール面（曲面）により形成してもよいし、開口部２ｏ…等を含む他の稜角の全部（又は一部）に施してもよい。
【００１９】
ところで、サンゴ増殖用ブロック２に求められる基本的な条件は、サンゴＳ…に好かれる自然なブロックが望ましい。具体的には、ブロックの材質は、海中において変化がなく十分に恒久的であること、サンゴの増殖を妨げる成分がないこと、海中の波などによって移動しないだけの自重があること、また、ブロックの形状は、サンゴＳ…の増殖に必要な消波効果を持つこと、サンゴＳ…の増殖に必要な酸素や温度などを妨げる形状ではないこと、ブロックを出来るだけ水平で整然と積んだ状態で積層できること、積層した際に増殖に必要な光が十分に射し込む形状であること、海中に漂うサンゴＳ…の卵をキャッチする能力がより高いこと、ブロックに活着させたサンゴＳ…の発育を助長しやすい形状であること、ブロックの単体や積層した全体の外観（色や形状）が自然界にマッチしていること、などの条件を満たすことが望ましい。
【００２０】
次に、このようなサンゴ増殖用ブロック２を用いた本実施形態に係るサンゴ増殖方法及び海岸自然造成方法について、図１〜図４を参照して説明する。
【００２１】
まず、多数のサンゴ増殖用ブロック２…と生きたサンゴＳ…を用意する。また、接着剤Ｂ…として、岩石を接着するためのボンドモルタルＢｍ…を用意する。このボンドモルタルＢｍ…は、災害現場等における落石を防止を図るため、岩石と岩石を接着するものであり、特に、曲げ強さ，圧縮強さ，曲げ粘着強さ，引張粘着強さ等の接着特性に優れているとともに、長期にわたってこれらの接着特性を維持するものが望ましい。このようなボンドモルタルＢｍ…としては、第二建設株式会社製の「ＤＫボンドフィラー」と「ＤＫハイエマルション」を配合して用いるボンドモルタルＢｍ…が最適である。このボンドモルタルＢｍ…を用いることにより、サンゴ増殖用ブロック２…の固着面３…に対してサンゴＳ…を確実かつ安定した状態で固着できる利点がある。
【００２２】
これらの資材を用意したなら、サンゴ増殖用ブロック２の固着面３…に対する、清掃工及び水洗工、更には必要に応じたケレン処理を行い、図４に示す抽出拡大図のように、ボンドモルタルＢｍを用いてサンゴＳをサンゴ増殖用ブロック２の固着面３に固着する。一個のサンゴ増殖用ブロック２に固着するサンゴＳ…の数量は、任意であるが、例示の場合は、図３及び図４に示すように、一つの側面２ａ…の両側に二列，上下方向に四段の計八個を配置するため、一個のサンゴ増殖用ブロック２では、合計三十二個となる。この固着作業は、迅速に行い、固着作業が終了したなら速やかに海水中に浸漬する。なお、固着作業はサンゴＳ…を保護するため、例えば、サンゴ増殖用ブロック２を吊り下げておき、一段目にサンゴＳ…を固着したなら直ちに一段目の部位が海水に浸かるように、サンゴ増殖用ブロック２を所定高さだけ下降させたり、或いは海水中で固着作業を行うなど、必要に応じて各種態様により固着施工を行うことができる。
【００２３】
一方、サンゴＳ…を固着したサンゴ増殖用ブロック２…は、海底Ｋｄ、特に、図１に示すように、海岸Ｋｓの近傍（入り江等）の海底Ｋｄにおける所定の範囲に設置するとともに、複数の段数となるように順次積層して設置する。図１に示すＬは、周囲長が１００〔ｍ〕以下の小島（例えば、沖ノ鳥島）であり、この小島Ｌにおける海岸Ｋｓの近傍の海底Ｋｄであって小島Ｌの周囲に沿った全周に積層設置する。図３は、図１に示したサンゴ増殖用ブロック２…群の一部を抽出したものである。なお、設置（積層）したサンゴ増殖用ブロック２…同士は、必要により接着手段或いは固着具等により連結固着することができる。
【００２４】
これにより、サンゴＳ…を効率的かつ立体的に増殖させることができ、地球環境（自然生態系）の変化や人為的な環境破壊によりサンゴＳ…が減少する問題に対して有効な解決策の一つとして利用できる。また、海岸Ｋｓが減少する（短くなる）問題に対して有効な解決策の一つとして利用でき、特に、周囲全周長が１００〔ｍ〕以下の小島Ｌにおける海岸Ｋｓに適用することにより、小島Ｌ自体の存亡の危機に対する根本的な解決手段として有効に利用できる。図１において、仮想線は、サンゴＳ…が増殖した際の珊瑚礁Ｓｃの全体イメージを示すとともに、Ｗｓは海面を示している。
【００２５】
次に、本発明に係るサンゴ増殖方法及び海岸自然造成方法の変更例について、図５〜図８を参照して説明する。
【００２６】
図５及び図６は、サンゴ増殖方法及び海岸自然造成方法の実施に用いるサンゴ増殖用ブロック２の変更例を示す。図２に示すしたサンゴ増殖用ブロック２は、全体を立方体状に形成したものであるが、図５に示すサンゴ増殖用ブロック２ｘは、台座部２ｘａとこの台座部２ｘａの下面部から下方に突出した複数の脚部２ｘｂ…により構成したものであり、脚部２ｘｂ…は下端が若干外側へ広がるように傾斜させている。したがって、脚部２ｘｂ…の表面（外面）を固着面３…として利用する。
【００２７】
また、図６に示すサンゴ増殖用ブロック２ｙは、図５と同様に、台座部２ｙａとこの台座部２ｙａの下面部から下方に突出した複数の脚部２ｙｂ…により構成するとともに、特に、台座部２ｙａの平面視形状を六角形に形成したものである。したがって、六本の脚部２ｙｂ…を有し、この脚部２ｙｂ…の表面（外面）を固着面３…として利用する。なお、台座部２ｙａには開口部を有する。
【００２８】
図７及び図８は、サンゴ増殖用ブロック２にサンゴＳ…を固着する際の変更例を示す。即ち、サンゴＳ…を接着剤Ｂ…により取付パーツ１１…に一旦固着し、この取付パーツ１１…を固着面３…に取付けるものである。このため、サンゴ増殖用ブロック２の固着面３には、図８に示すように取付部１２を形成するとともに、この取付部１２に取付ける複数の取付パーツ１１…を用意する。取付部１２は、固着面３の上下方向に形成し、かつ底側が幅広がりとなるスリット状のパーツ装填部１２ｓ及びこのパーツ装填部１２ｓの上端に形成したパーツ挿入口部１２ｉを有するとともに、パーツ装填部１２ｓの下端に固着面３を残した状態となる抜止部１２ｃを設ける。また、取付パーツ１１は、図７に示すように、正面視及び側面視が台形となり、かつ平面視が矩形（正方形又は長方形）となる台座状にコンクリートＣにより一体造型する。これにより、図７に示すように、取付パーツ１１の上面に、接着剤ＢによりサンゴＳを固着し、直ちに海水Ｗの入った養生槽２１に入れて接着剤Ｂ…を養生させることができる。
【００２９】
一方、取付パーツ１１…を取付けていないサンゴ増殖用ブロック２…は、図１及び図３に示すように、予め海底Ｋｄに積層設置しておく。そして、養生槽２１により十分に養生した取付パーツ１１…は、海底Ｋｄに設置したサンゴ増殖用ブロック２…のパーツ装填部１２ｓに装填して固着面３…に取付ける。この場合、取付パーツ１１…は、図８に示す点線矢印で示すように、パーツ挿入口部１２ｉに横方向から入れ、パーツ装填部１２ｓにスライド下降させて装填することができる。この際、必要により、サンゴＳを取付けない取付パーツ１１或いは専用のセパレータなどを装填することによりサンゴＳ…の間隔や装填数量を設定することができる。
【００３０】
このような固着方法（取付方法）を採用することにより、幼生サンゴＳを初期発育させる際には、スペースの取らない養生槽２１により十分に発育させることができるとともに、幼生サンゴＳを発育させる工程とブロック全体の施工工程を分離することができ、特にサンゴＳ…を固着面３…に固着するに際し、より容易かつ安全に固着することができる。
【００３１】
以上、最良の実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００３２】
例えば、実施形態では、特に、周囲全周長が１００〔ｍ〕以下の小島Ｌにおける海岸Ｋｓに適用し、海岸Ｋｓの長さを自然造成により拡大させる場合を例示したが、サンゴＳ…を増殖させる目的で任意の海底Ｋｄに設置してもよい。また、三種類のサンゴ増殖用ブロック２，２ｘ，２ｙを例示したが、例示以外の各種形態（各種形状及び大きさ）のサンゴ増殖用ブロックを利用することができるとともに、取付パーツ１１の形状及び大きさ，取付方法などは、同様の目的を達成できる任意の方法により実施することができる。さらに、固着面３…として、四つの側面２ａ…の外面部分を例示したが、各側面２ａ…の内面部分など、開口部２ｏ…を除くサンゴＳ…を固着可能な有効面を全て含む概念である。一方、接着剤Ｂ…として、岩石を接着するためのボンドモルタルＢｍ…を用いる場合を例示したが、他の接着剤Ｂ…の使用を排除するものではない。
【図面の簡単な説明】
【００３３】
【図１】本発明の最良の実施形態に係るサンゴ増殖方法及び海岸自然造成方法の原理説明図、
【図２】同サンゴ増殖方法及び海岸自然造成方法に用いるサンゴ増殖用ブロックの斜視図、
【図３】同サンゴ増殖用ブロックの設置（積層）状態を示す正面図、
【図４】同サンゴ増殖用ブロックの固着面にサンゴを固着した状態を示す一部断面平面図、
【図５】同サンゴ増殖用ブロックの変更例を示す正面図、
【図６】同サンゴ増殖用ブロックの他の変更例を示す平面図、
【図７】同サンゴ増殖用ブロックにサンゴを固着する際における変更例を示す工程説明図、
【図８】同変更例の他の工程説明図、
【符号の説明】
【００３４】
Ｓ…：サンゴ，３…：固着面，２…：サンゴ増殖用ブロック，２ｘ…：サンゴ増殖用ブロック，２ｙ…：サンゴ増殖用ブロック，１１…：固着パーツ，Ｂ…：接着剤，Ｋｄ：海底，Ｂｍ…：ボンドモルタル，Ｋｓ：海岸，Ｌ：小島
【図１】
2008017789.tif 000003
【図２】
2008017789.tif 000004
【図３】
2008017789.tif 000005
【図４】
2008017789.tif 000006
【図５】
2008017789.tif 000007
【図６】
2008017789.tif 000008
【図７】
2008017789.tif 000009
【図８】
2008017789.tif 000010